(57)【要約】  【課題】レッグレスト機能を実現するための無用なコストアップを抑制でき且つアクチュエータのレイアウト等の設計自由度が高いといった優れた椅子Ｘを提供する。  【解決手段】座２の前端部に枢着され且つ伸縮可能なレッグレスト６と、共通のアクチュエータＣ１を用いて前記レッグレスト６を回動させつつ伸長させて略水平な水平状態（Ｒ２）又は回動させつつ縮小させて略起立する起立状態（Ｒ１）にするレッグレスト駆動装置Ｃとを具備するようにした。【選択図】図９
2006204701.tif 000002
【特許請求の範囲】
【請求項１】
座の前端部に枢着され且つ伸縮可能なレッグレストと、共通のアクチュエータを用いて前記レッグレストを回動させつつ伸長させて略水平な水平状態又は回動させつつ縮小させて略起立する起立状態にするレッグレスト駆動装置とを具備していることを特徴とする椅子。
【請求項２】
前記レッグレストが、互いに連動動作する複数のレッグレスト部を具備し、これら複数のレッグレスト部のうち一のレッグレスト部のみを、前記レッグレスト駆動装置が駆動するように構成していることを特徴とする請求項１記載の椅子。
【請求項３】
先端側レッグレスト部と基端側レッグレスト部とが互いに進退するものであり、前記先端側レッグレスト部の少なくとも一部が、前記基端側レッグレスト部に収容されるように構成していることを特徴とする請求項２記載の椅子。
【請求項４】
前記レッグレスト駆動装置が、レッグレスト駆動用アクチュエータと、前記レッグレスト駆動用アクチュエータの動作に連動して伸縮する連結作動機構とを具備していることを特徴とする請求項１乃至３いずれか記載の椅子。
【請求項５】
前記連結作動機構が、複数のリンクメンバを具備し、これら複数のリンクメンバの端部または中央部を回動可能に連結することにより、伸縮可能に構成したパンタグラフ式のものであることを特徴とする請求項４記載の椅子。
【請求項６】
前記複数のリンクメンバのうち基端側に配され且つ対を成すリンクメンバの一方を、前記座を支持する座支持体に枢着させ、他方を、前記レッグレスト駆動用アクチュエータに駆動されるように構成していることを特徴とする請求項５記載の椅子。
【請求項７】
前記複数のリンクメンバのうち先端側に配され且つ対を成すリンクメンバの一方を、先端側レッグレスト部を押し出すように回動可能に枢着していることを特徴とする請求項５または６記載の椅子。
【請求項８】
座の両側に配した左右一対の連結作動機構の動作を同期させる連結作動機構用同期機構を備え、
前記連結作動機構用同期機構が、左右一対の連結作動機構の少なくとも一部同士を支持し且つ前記レッグレスト駆動用アクチュエータに駆動される連結軸を具備するようにしていることを特徴とする請求項７記載の椅子。
【請求項９】
レッグレストに対して、当該レッグレストを上側から下側へ押し下げる向きの外力を加えた場合には、その外力に抗してレッグレストの姿勢を保持する一方、下側から上側へ押し上げる向きの外力を加えた場合には、その外力に抗せずにその外力によりレッグレスト全体が押し上げられることを許容するレッグレスト姿勢制動機構を具備していることを特徴とする請求項１乃至８いずれか記載の椅子。
【請求項１０】
前記レッグレスト姿勢制動機構が、当該レッグレストを上側から下側へ押し下げる向きの外力を加えた場合には互いに当接し、下側から上側へ押し上げる向きの外力を加えた場合には当接解除される当接部及び被当接部を備え、これら当接部及び被当接部のうちいずれか一方を、レッグレスト側に設け、他方をベース側に設けていることを特徴とする請求項９記載の椅子。
【発明の詳細な説明】
【技術分野】
【０００１】
本発明は、下肢を伸ばした姿勢に対応可能な椅子に関するものである。
【背景技術】
【０００２】
従来から、下肢を伸ばした姿勢に対応可能に構成した椅子が知られている。
【０００３】
具体的にこの種の椅子は、座部の前端側に枢着されたレッグレストと、レッグレストを回動させるためのアクチュエータとレッグレストを伸縮させるためのアクチュエータとを具備し、２つのアクチュエータを作動させることにより、レッグレストが縮小して略起立する収納状態または伸長して略水平な使用状態になるように構成されている（例えば、特許文献１参照。）。
【特許文献１】特許３３３６４５４号公報
【発明の開示】
【発明が解決しようとする課題】
【０００４】
しかしながら、従来の構成では、２つのアクチュエータを用いなければならず、コストアップを余儀なくされる。また、２つのアクチュエータを配置するためのスペースが座の下側に必要となり、場合によっては他の機構（例えば、シンクロチルト機構など）と干渉する等、アクチュエータのレイアウトの設計自由度が低いといった課題を有している。
【０００５】
本発明は、このような課題に着目してなされたものであって、主たる目的は、レッグレスト機能を実現するための無用なコストアップを抑制でき且つアクチュエータのレイアウト等の設計自由度が高いといった優れた椅子を提供することにある。
【課題を解決するための手段】
【０００６】
すなわち、本発明の椅子は、座の前端部に枢着され且つ伸縮可能なレッグレストと、共通のアクチュエータを用いて前記レッグレストを回動させつつ伸長させて略水平な水平状態又は回動させつつ縮小させて略起立する起立状態にするレッグレスト駆動装置とを具備していることを特徴とする。
【０００７】
このようなものであれば、レッグレストを伸長及び縮小させる動作（すなわち伸縮動作）と回動させる動作とを、複数のアクチュエータを用いることなく共通のアクチュエータで実現できるため、レッグレスト機能を実現するための無用なコストアップを抑制することができる。また、複数のアクチュエータを用いる場合に比べ、アクチュエータの配置を比較的自由に行うことができる。
【０００８】
すなわち、レッグレスト機能を実現するための無用なコストアップを抑制でき且つアクチュエータのレイアウト等の設計自由度が高いといった優れた椅子を提供することができる。
【０００９】
シンプルな構成でありながらも、有効にレッグレストを伸縮動作させるには、前記レッグレストが、互いに連動動作する複数のレッグレスト部を具備し、これら複数のレッグレスト部のうち一のレッグレスト部のみを、前記レッグレスト駆動装置が駆動するように構成していることが望ましい。
【００１０】
先端側レッグレスト部と基端側レッグレスト部とが互いに進退するものであり、前記先端側レッグレスト部の少なくとも一部が、前記基端側レッグレスト部に収容されるように構成しているものであれば、先端側レッグレスト部が基端側レッグレスト部に収容されるので、外観上の美観を確保しながらコンパクト化できる。
【００１１】
前記レッグレスト駆動装置が、レッグレスト駆動用アクチュエータと、前記レッグレスト駆動用アクチュエータの動作に連動して伸縮する連結作動機構とを具備しているものであれば、レッグレスト駆動用アクチュエータと連結作動機構との設計等をそれぞれ独立にできるので、設計自由度が向上する。
【００１２】
簡単な構成で、大きな伸縮ストロークを確保できる連結作動機構を実現するには、前記連結作動機構が、複数のリンクメンバを具備し、これら複数のリンクメンバの端部または中央部を回動可能に連結することにより、伸縮可能に構成したパンタグラフ式のものであることが望ましい。
【００１３】
本発明の望ましい態様としては、前記複数のリンクメンバのうち基端側に配され且つ対を成すリンクメンバの一方を、前記座を支持する座支持体に枢着させ、他方を、前記レッグレスト駆動用アクチュエータに駆動されるように構成しているものや、前記複数のリンクメンバのうち先端側に配され且つ対を成すリンクメンバの一方を、先端側レッグレスト部を押し出すように回動可能に枢着しているものが挙げられる。この構成により、１つのアクチュエータで、連結作動機構の回動と伸縮を同時に実現することができる。
【００１４】
座の両側に配した左右一対の連結作動機構の動作を同期させるには、この左右一対の連結作動機構の動作を同期させる連結作動機構用同期機構を備え、この連結作動機構用同期機構が、左右一対の連結作動機構の少なくとも一部同士を支持し且つ前記レッグレスト駆動用アクチュエータに駆動される連結軸を具備するようにしていることが好ましい。
【００１５】
また、例えば、レッグレストを水平状態から起立状態にする際に、レッグレストの下側にある物品や人等とぶつかって、当該物品や人等が破損するなどといった不具合を防止するためには、レッグレストに対して、当該レッグレストを上側から下側へ押し下げる向きの外力を加えた場合には、その外力に抗してレッグレストの姿勢を保持する一方、下側から上側へ押し上げる向きの外力を加えた場合には、その外力に抗せずにその外力によりレッグレスト全体が押し上げられることを許容するレッグレスト姿勢制動機構を具備していることが好ましい。
【００１６】
前記レッグレスト姿勢制動機構の具体的な態様としては、当該レッグレスト姿勢制動機構が、当該レッグレストを上側から下側へ押し下げる向きの外力を加えた場合には互いに当接し、下側から上側へ押し上げる向きの外力を加えた場合には当接解除される当接部及び被当接部を備え、これら当接部及び被当接部のうちいずれか一方を、レッグレスト側に設け、他方をベース側に設けているものが挙げられる。
【発明の効果】
【００１７】
以上説明したように本発明の椅子によれば、レッグレストを伸長及び縮小させる動作（すなわち伸縮動作）と回動させる動作とを、複数のアクチュエータを用いることなく共通のアクチュエータで実現できるため無用なコストアップを抑制することができる。また、複数のアクチュエータを用いる場合に比べ、アクチュエータの配置を比較的自由に行うことができる。
【００１８】
すなわち、レッグレスト機能を実現するための無用なコストアップを抑制でき且つアクチュエータのレイアウト等の設計自由度が高いといった優れた椅子を提供することができる。
【発明を実施するための最良の形態】
【００１９】
以下、本発明の一実施形態を、図面を参照して説明する。
【００２０】
本実施形態に係る椅子Ｘは、図１に示すように、ベース１と、座本体２１及びこの座本体２１の前端側に配される補助座２２を備える座２と、座本体２１を支持する本体座受３１及び補助座２２を支持する補助座受３２を備える座支持体３と、下背もたれ部４１、中背もたれ部４２及び上背もたれ部４３を備える背もたれ４と、背もたれ４の上端部の前面側に配されるヘッドレスト５と、座２の前端部に枢着され且つ図示しないレッグレスト駆動装置Ｃによって縮小された略起立する起立状態（Ｒ１）又は伸長されて略水平な水平状態（Ｒ２）を選択的にとる伸縮可能なレッグレスト６と、ベース１の左右両端部の上端側に配した左右一対の肘掛７と、ベース１に支持される補助作業台８とを備えたものである。なお、図２以下では作図の都合上補助作業台８を省略している。
【００２１】
以下、各部について説明するが、本実施形態では、着座者の右手が位置する方を右側（右手側）、左手が位置する方を左側（左手側）と定義して説明を進めるものとする。
【００２２】
ベース１は、金属製のベース本体１１と、このベース本体１１に着脱可能に取り付けられるベースカバー部１２とを具備するものである。
【００２３】
より具体的には、ベース本体１１は、左右一対を成す左ベース部１１１及び右ベース部１１２と、これら両ベース部１１１、１１２の下端部間を連結する底ベース部１１３とを具備する。
【００２４】
さらに詳述すると、左ベース部１１１は、側面視略直線状を成し使用端側（以下、「前側」とする）から反使用端側（以下、「後側」とする）にかけて伸びる下ベースパイプ１１１ａと、この下ベースパイプ１１１ａの上側に対向して配され側面視略部分円弧状を成す上ベースパイプ１１１ｂと、これら下ベースパイプ１１１ａと上ベースパイプ１１１ｂとを連結する５本の上下連結パイプ１１１ｃとを具備し、本実施形態ではこれら各パイプ１１１ａ、１１１ｂ、１１１ｃを角パイプを用いて形成している。そして本実施形態では、５本の上下連結パイプ１１１ｃのうち最前端の上下連結パイプ１１１ｃの高さ寸法を、最後端の上下連結パイプ１１１ｃの高さ寸法よりも大きく構成している。また、上ベースパイプ１１１ｂの前端縁が、下ベースパイプ１１１ａの前端縁よりも前側に位置付けられる一方、上ベースパイプ１１１ｂの後端縁が、下ベースパイプ１１１ａの後端縁よりも後側に位置付けられるように、上ベースパイプ１１１ｂの全体長を下ベースパイプ１１１ａの全体長よりも大きく構成している。右ベース部１１２は、左ベース部１１１と同様の構成であるので説明を省略する。
【００２５】
底ベース部１１３は、両ベース部１１１、１１２の５本の上下連結パイプ１１１ｃのうち、前側から数えて２番目と４番目の上下連結パイプ１１１ｃ同士を連結する、角パイプを用いて形成した前連結ベースパイプ１１３ａ及び後連結ベースパイプ１１３ｂを具備する。なお、本実施形態では、各連結ベースパイプ１１３ａ、１１３ｂの両端部には、平面視略コ字状をなし且つ正面視略台形状の補強部材１１３ｃを設け、補強部材１１３ｃと上下連結パイプ１１１ｃとをネジ等を用いて締結している。また、前連結ベースパイプ１１３ａには、中央から右手側に偏移する位置に、連動後傾装置Ａの図示しないリンクアーム部駆動用アクチュエータＡ１２の後端部を回動可能に支持するための上向き略コ字状のリンクアーム部駆動用アクチュエータ支持部１１３ａ１を設けている。また、後連結ベースパイプ１１３ｂには、中央から左手側に偏移する位置に、後述するレッグレスト駆動装置Ｃのレッグレスト駆動用アクチュエータＣ１の後端部を回動可能に支持するための上向き略コ字状のレッグレスト駆動用アクチュエータ支持部１１３ｂ１を設けている。
【００２６】
ベースカバー部１２は、側面視した際に、左ベース部１１１または右ベース部１１２と略重合する外形寸法を有する木製のベースカバー部本体に布製のベースカバー部被覆部を被覆したものである。
【００２７】
座２を構成する座本体２１は、図２、図３等に示すように、平面視略矩形状をなすプレート状の座板２１１と、座板２１１の上方に配されウレタン等の弾性を有する素材を用いて形成した座クッション２１２と、座クッション２１２の表面を被覆し且つ座板２１１の裏面側でタッカ等で留めた布製の座本体カバー部２１３とから構成され、座板２１１の裏面側の両側縁部をそれぞれ本体座受３１に取り付けたものである。
【００２８】
座２を構成する補助座２２は、平面視略矩形状をなすプレート状の補助座板２２１と、補助座板２２１の上方に配されウレタン等の弾性を有する素材を用いて形成した補助座クッション２２２と、補助座クッション２２２の表面を被覆し且つ補助座板２２１の裏面側でタッカ等で留めた布製の補助座カバー部２２３とから構成され、補助座板２２１の裏面を補助座受３２に取り付けたものである。補助座２２の前端側の下端部に、左右一対の取付金具２４を介してレッグレスト６を回動可能に取り付けている（換言すれば、レッグレスト６の枢着位置を、座２の上側面と下側面との間に設定している。）。本実施形態においては、補助座２２の奥行き寸法を座本体２１の奥行き寸法より小さく設定するとともに、補助座２２の肉厚寸法を座本体２１の肉厚寸法と略同一に設定している。より具体的には、補助座２２の後端部における肉厚寸法を座本体２１の肉厚寸法と略同一に設定するとともに、後端部から中央部に亘る領域の肉厚寸法を漸次大きくし且つ中央部から前端部に亘る領域の肉厚寸法を座本体２１の肉厚寸法より若干大きく設定している。
【００２９】
座支持体３を構成する本体座受３１は、ベース１に支持されるとともに座本体２１を支持するように左右一対に設けられたものであり、これら一対の本体座受３１の前端部間及び後端部間を連結する連結軸たる本体座受前側連結パイプ３１ａ及び本体座受後側連結パイプ３１ｂによって有効な支持強度及び連結強度を有する。
【００３０】
より具体的に、これら本体座受３１は、それぞれ左ベース部１１１及び右ベース部１１２の内側に配されるものであり、座本体２１の側縁部に沿って配されるとともに座本体２１と当接してこれを支持する平面視略矩形状の本体座受鍔部３１１と、この本体座受鍔部３１１の内側縁から垂下する本体座受主部３１２と、この本体座受主部３１２の前端側に膨出し且つ側面視略三角形状を成す本体座受膨出部３１３と、本体座受主部３１２の後端部から上方に向けて突出する側面視略三角形状を成す本体座受突出部３１４とを具備し、これら各部を板金素材の塑性変形加工等により形成している。なお、本実施形態では、左右の本体座受膨出部３１３の先端部間同士の寸法が、基端部間同士の寸法よりも大きくなるように、各本体座受膨出部３１３の所定部位をそれぞれ対面する左ベース部１１１又は右ベース部１１２に向かって屈曲させている（図３参照）。また、各本体座受膨出部３１３の先端部が、対面する左ベース部１１１又は右ベース部１１２の５本の上下連結パイプ１１１ｃのうち、最前の上下連結パイプ１１１ｃにスペーサ３１３ａを介して回動可能に支持されるように構成している。
【００３１】
本体座受前側連結パイプ３１ａは、左右の本体座受膨出部３１３の基端部間に回動可能に横架されるものであり、補助座２２を後述する第２使用位置（Ｐ）に位置付けた際に、この本体座受前側連結パイプ３１ａに、平行リンク機構Ｂ１の前リンクメンバＢ１１が当接し得るように構成している。また、この本体座受前側連結パイプ３１ａが、レッグレスト駆動装置Ｃの連結作動機構Ｃ２を支持するとともに、該レッグレスト駆動装置Ｃの先端部を回動可能に支持している。すなわち、その先端部が進退すると、この本体座受前側連結パイプ３１ａを介して連結作動機構Ｃ２を、後述するような動作させる。
【００３２】
本体座受後側連結パイプ３１ｂは、左右の本体座受３１の後端部間に回動可能に横架されるものである。また、この本体座受後側連結パイプ３１ｂに、その軸方向と直交する方向に角パイプ状の突設体３１ｂ１を突設し、さらにこの突設体３１ｂ１が、連結作動体３１ｘを介して、連動後傾装置Ａのリンクアーム部駆動用アクチュエータＡ１２の先端部を枢支するように構成している。さらに詳述すると、連結作動体３１ｘは、突設体３１ｂ１を挟み込む位置に設けられ且つ突設体３１ｂ１により前後方向に揺動可能に枢支される一対の薄板状の掛止側壁３１ｘ１と、これら一対の掛止側壁３１ｘ１の前端縁間に設けた薄板状の掛止前壁３１ｘ２とを備えている。そして、この掛止前壁３１ｘ２と前記突設体３１ｂ１とが当接または当接解除して、後述する背もたれ姿勢制動機構Ａ３としての機能を発揮する。
【００３３】
座支持体３を構成する補助座受３２は、前記補助座２２の裏面に宛がわれ且つ補助座２２を後述する第１使用位置（Ｏ）に位置付けた場合に座本体２１の裏面側の前半部位に当接又は近接する裏当て部３２１と、裏当て部３２１の両側縁からそれぞれ垂下してなる一対の垂下片３２２とを板金素材の塑性変形加工等により一体に備えたものである。裏当て部３２１の幅寸法を前記座本体２１及び補助座２２の幅寸法よりも小さく設定し、裏当て部３２１を補助座２２の裏面に取り付けた状態において、各垂下片３２２が補助座２２の側縁部及び座本体２１の側縁部より内側に位置するように設定している。なお、本実施形態においては、図示していないが、裏当て部３２１の所定部位に複数の貫通孔を形成し、この貫通孔にそれぞれネジを挿入し座板２１１に螺着することにより補助座受３２を補助座２２に固定している。また、各垂下片３２２の中央部及び後縁部にそれぞれ配した軸３２ａ、３２ｂを介して後述する平行リンク機構Ｂ１の構成部材である前リンクメンバＢ１１及び後リンクメンバＢ１２をそれぞれ枢着できるように設定してある。また、各垂下片３２２には、前記補助座２２を後述する第２使用位置（Ｐ）に位置付けた際に垂下片３２２が本体座受前側連結パイプ３１ａに干渉することを回避するための切欠３２２ａを形成してある。
【００３４】
背もたれ４を構成する下背もたれ部４１は、図２、図３に示すように、左右一対の下背もたれ縦フレーム部４１１と、この下背もたれ縦フレーム部４１１の上端部間に横架させた下背もたれ横フレームパイプ４１２とを背フレーム４ｘの一部として具備するものである。
【００３５】
下背もたれ縦フレーム部４１１は、側面視略三角形状の下背フレーム基部４１１ａ（背フレーム基部）と、この下背フレーム基部４１１ａの略中央部に支持され斜め後方に伸びる下背フレーム本体４１１ｂとを具備する。
【００３６】
下背フレーム基部４１１ａは、板金素材を塑性変形加工等して形成したものであって、その前端部を本体座受３１の後端部に枢着する（この枢着位置が着座者の転子点の近傍に当る。）一方、後端部を後述する連動後傾装置Ａを構成する背もたれ後傾用リンクアーム部Ａ２１の先端部に枢着している。
【００３７】
下背フレーム本体４１１ｂは、円筒状のものである。
【００３８】
下背もたれ横フレームパイプ４１２は、パイプ材を切断加工等して形成したものである。
【００３９】
背もたれ４を構成する中背もたれ部４２は、図２、図３に示すように、左右一対の中背もたれ縦フレームパイプ４２１と、この中背もたれ縦フレームパイプ４２１の上端部間及び下端部間にそれぞれ横架させた中背もたれ上横フレームパイプ４２２及び中背もたれ下横フレームパイプ４２３とを背フレーム４ｘの一部として具備するものである。
【００４０】
背もたれ４を構成する上背もたれ部４３は、図２、図３に示すように、左右一対の上背もたれ縦フレームパイプ４３１ａと各上背もたれ縦フレームパイプ４３１ａの上端部間を接続してなる上背もたれ上横フレームパイプ４３１ｂとを一体成形した正面視略門型をなす上背もたれフレームパイプ本体４３１と、各上背もたれ縦フレームパイプ４３１ａの中間部間に横架させた上背もたれ中横フレームパイプ４３２と、この上背もたれ中横フレームパイプ４３２と上背もたれ上横フレームパイプ４３１ｂとを接続する一対のスライドレール４３３とを背フレーム４ｘの一部として具備するものである。
【００４１】
このような各背もたれ部４１、４２、４３の各フレームパイプの前面側に例えばウレタン等の弾性を有する素材を用いて形成した背クッション４４を配するとともに、これら各背もたれ部４１、４２、４３を布製の背もたれカバー部４５によって被覆している。
【００４２】
ヘッドレスト５は、図４に示すように、上背もたれ部４３のスライドレール４３３に取付金具５５を介して取り付けられる枕ベース５１と、枕ベース５１の前面側に設けられるヘッドクッション５２と、このヘッドクッション５２を被覆する枕カバー部５３と、この枕カバー部５３をさらに被覆するウォッシャブルカバー部５４とを備えたものである
枕ベース５１は、枕ベース本体５１１と、この枕ベース本体５１１の両側端にそれぞれヒンジ５１ｈを介して設けられ枕ベース本体５１１に対して所定角度範囲内で角度変化可能な一対の可動ベース体５１２とを備えたものであり、枕ベース本体５１１の両側端部に、後述する引込用ゴム紐５３１が引っ掛かり得る引っ掛け部５１１ａを形成している。
【００４３】
ヘッドクッション５２は、枕ベース本体５１１に支持されるヘッドクッション本体５２１と、ヘッドクッション本体５２１の両側端部に配され可動ベース体５１２に支持される一対の可動クッション体５２２とを備えたものであり、これらヘッドクッション本体５２１及び可動クッション体５２２は、それぞれ前方に膨出した断面視略部分円弧状をなし、適宜箇所において相互を縫い合わせることにより一体的に取り付けてある。
【００４４】
枕カバー部５３は、背面側において前記ヘッドクッション本体５２１を表出させた状態でヘッドクッション５２を被覆するものであり、内面側にヘッドクッション本体５２１及び枕ベース本体５１１を周回し得る引込用ゴム紐５３１を内面側に設けている。そして、この枕カバー部５３によってヘッドクッション５２及び枕ベース５１を被覆した状態で、前記引込用ゴム紐５３１を枕ベース本体５１１の引っ掛け部５１１ａに引っ掛けてヘッドクッション本体５２１及び枕ベース本体５１１に周回させるととともに、枕カバー部５３の上端部及び下端部に設けた面ファスナー５３ｆと枕ベース本体５１１の上端部及び下端部に設けた面ファスナー５１１ｆとを相互に留めている。
【００４５】
ウォッシャブルカバー部５４は、背面側において前記枕ベース本体５１１を表出させた状態で面ファスナー５４ｆを利用して枕カバー部５３の外面を被覆するものであり、上端部に設けた樹脂ボタン（オス）５４ｂを、枕カバー部５３の上端部に設けた樹脂ボタン（メス）５３ｂに留めることにより枕カバー部５３に取り付けている。
【００４６】
このような構成を有するヘッドレスト５は、取付金具５５を介して上背もたれ部４３の一対のスライドレール４３３に取り付けられ、背もたれ４の高さ方向に沿ってスライド可能に設定されるとともに、ヘッドレスト５の両端部をヘッドレスト５の中央部に向かって内側へ折り曲げる操作力を付与することにより、可動ベース体５１２がヒンジ５１ｈを利用して枕ベース本体５１１に対して角度変化し、この可動ベース体５１２の角度変化に連動して可動クッション体５２２がヘッドクッション本体５２１に対して角度変化する。このように、本実施形態のヘッドレスト５は、両側端部の角度調整を行えるように設定し、着座者の頭部を安定した状態で支持することができるようにしている。
【００４７】
レッグレスト６は、図２に示すように、互いに連動動作する先端側レッグレスト部６１と基端側レッグレスト部６２との２つのレッグレスト部を備えたものである。そして、起立状態（Ｒ１）では、先端側レッグレスト部６１の略全体が基端側レッグレスト部６２に収容される一方、水平状態（Ｒ２）では、先端側レッグレスト部６１の略全体が基端側レッグレスト部６２から露出するように構成されている。また、水平状態（Ｒ２）にあるレッグレスト６の上向き面の略全面に、換言すれば、先端側レッグレスト部６１の上向き面の略全面と、基端側レッグレスト部６２の上向き面の略全面とに、着座者の下肢を載置可能な下肢載置面６１ｘ、６２ｘ（図６、図９参照）を設けている。
【００４８】
先端側レッグレスト部６１は、図９等に示すように、平面視略矩形状をなすプレート状の先端側レッグレスト部用基板６１１と、この先端側レッグレスト部用基板６１１の上方に配されウレタン等の弾性を有する素材を用いて形成した先端側レッグレスト部用クッション６１２と、先端側レッグレスト部用クッション６１２の表面を被覆し且つ先端側レッグレスト部用基板６１１の裏面側でタッカ等で留めた布製の先端側レッグレスト部用カバー部６１３とを具備するに加え、当該先端側レッグレスト部６１が後述するレッグレスト駆動装置Ｃに駆動されて進退し得るように、先端側レッグレスト部用基板６１１の裏面には後述するレッグレスト駆動装置Ｃの最先端のリンクメンバを回動可能に支持する金属製のリンクメンバ用支持部６１４と、先端側レッグレスト部用基板６１１の両側縁から起立させた金属製の左右一対の可動側ガイドレール部６１５とを備えている。この可動側ガイドレール部６１５が、後述する基端側レッグレスト部６２の固定側ガイドレール部６２５に案内されることにより、当該先端側レッグレスト部６１のスムーズなスライド移動を実現している。
【００４９】
基端側レッグレスト部６２は、図９等に示すように、平面視略矩形状をなすプレート状の基端側レッグレスト部用基板６２１と、この基端側レッグレスト部用基板６２１の両側縁から垂下され且つ座２の取付金具２４に枢支される被支持部６２２ｘを有する左右一対の基端側レッグレスト部用側板６２２と、前記基端側レッグレスト部用基板６２１の上方に配されウレタン等の弾性を有する素材を用いて形成した基端側レッグレスト部用クッション６２３と、基端側レッグレスト部用クッション６２３の表面および基端側レッグレスト部用側板６２２の表面を被覆し且つ基端側レッグレスト部用基板６２１および基端側レッグレスト部用側板６２２の裏面側でタッカ等で留めた布製の基端側レッグレスト部用カバー部６２４とを具備するに加え、前記先端側レッグレスト部６１のスライド移動を案内するための左右一対の金属製の固定側ガイドレール部６２５を、前記基端側レッグレスト部用側板６２２の裏面側に備えている。なお、この基端側レッグレスト部用側板６２２の裏面側に、基端側レッグレスト部用カバー部６２４が配されている部分では、この基端側レッグレスト部用カバー部６２４を隠蔽するように、固定側ガイドレール部６２５を、基端側レッグレスト部用側板６２２の裏面側に取り付けている。
【００５０】
肘掛７は、図１、図２、図３に示すように、側面視略部分円弧状を成す肘掛本体７１と、肘掛本体７１の前端部及び後端部に接続され且つ前記左ベース部１１１及び右ベース部１１２の上ベースパイプ１１１ｂに支持される肘掛前支持部７２と肘掛後支持部７３とを具備するとともに、肘掛本体７１の上端部を略覆う位置に肘掛カバー部７４を設けている。なお、本実施形態では、肘掛本体７１と肘掛前支持部７２と肘掛後支持部７３とをアルミダイキャストにより一体に形成する一方、肘掛カバー部７４を木製にて形成しているが、これら各部を同一素材で形成すること等を妨げない。
【００５１】
補助作業台８は、図１に示すように、平面視略矩形状をなす薄板状の補助作業台本体８１と、この補助作業台本体８１の裏面に設けた補助作業台用アーム部８２と、前記補助作業台本体８１を水平面内で回動し得るように前記補助作業台用アーム部８２を回動可能に支持し且つ右ベース部１１２の前端部に支持される補助作業台用支持支柱８３とを具備するものである。なお、本実施形態では、補助作業台本体８１の幅寸法を座本体２１の幅寸法と略一致させた木製のものとしているが、各部の寸法及び素材等は実施態様に応じて適宜変更可能である。
【００５２】
このような各部から構成される本実施形態に係る椅子Ｘは、さらに、本体座受３１の後傾動作に対応して、座２と背もたれ４とを連動させながら後傾動作させる連動後傾装置Ａと、補助座２２の座面を座本体２１の座面を略一致させてなる第１使用位置（Ｏ）と補助座２２の座面を座本体２１の座面より低位置に位置付けてなる第２使用位置（Ｐ）との間で補助座２２を座本体２１に対して昇降移動させるための昇降移動装置Ｂと、共通のアクチュエータたるレッグレスト駆動用アクチュエータＣ１を用いて前記レッグレスト６を回動させつつ伸長させて略水平な水平状態（Ｒ２）又は回動させつつ縮小させて略起立する起立状態（Ｒ１）にするレッグレスト駆動装置Ｃと、下背もたれ部４１に対して中背もたれ部４２を通常姿勢より後方に後折れさせるための背反り装置Ｄと、中背もたれ部４２に対して上背もたれ部４３を通常姿勢より前方に前折れさせるための前折れ装置Ｅとを具備している。
【００５３】
そして、本実施形態の椅子Ｘは、連動後傾装置Ａ、昇降移動装置Ｂ、レッグレスト駆動装置Ｃ、背反り装置Ｄ及び前折れ装置Ｅの中から１または複数選択して適宜動作させることにより、例えば、アップライト作業に最適とされる通常の着座姿勢（図５（ａ））、胡坐姿勢（図５（ｂ））、リクライニング作業に最適とされる姿勢（図６（ｅ））、各種ストレッチングに最適とされる姿勢（図５（ｃ）、（ｄ）及び図６（ｆ））、仮眠に最適とされる姿勢（図６（ｇ））、睡眠に最適とされる姿勢（図６（ｈ））など着座者の様々な使用態様に対応した背角度及び座角度等を実現して、ホームワーカの知的活動を好適に支援したり、作業の合間に効果的にリフレッシュしたり、短時間での休息の効果を向上させたりすることができるようにしてある。
【００５４】
また、背もたれ４に、作業姿勢をサポートするためのランバーサポート装置Ｇを備えるようにしてもよい。
【００５５】
このランバーサポート装置Ｇの具体的な態様としては、図７（なお、同図（ａ）、（ｂ）は、それぞれはランバーサポート装置Ｇの平面図、正面図である）に示すように、例えば、薄肉で断面視略部分円弧状を成す４枚の可動バーＧ１と、最下段の可動バーＧ１のにさらに下端側に配され且つ同図に示さない前記下背もたれ横フレームパイプ４１２に取り付けられるベース板Ｇ２と、隣接する可動バーＧ１同士の両端部及び最下端の可動バーＧ１とベース板Ｇ２との両端部を連結する一対のジョイント部材Ｇ３と、最上段の可動バーＧ１をベース板Ｇ２側に引き寄せるためのランバーサポート操作部Ｇ４と具備し、ランバーサポート操作部Ｇ４を操作して最上段の可動バーＧ１をベース板Ｇ２側に引き寄せることにより、４枚の可動バーＧ１が、図７に示す矢印Ｇａの方向に全体的に撓んで、着座者の腰部をサポートするランバーサポートとしての機能を発揮するようにしたものが挙げられる。
【００５６】
また、このとき、ランバーサポート操作部Ｇ４が、略三角形状を成すとともにベース板Ｇ２に中央部を回動可能に支持させたカム部材Ｇ４１と、一端側Ｇ４２ａを最上段の可動バーＧ１に取り付けられ且つ他端側Ｇ４２ｂをカム部材Ｇ４１の一端部Ｇ４１ａに回動可能に支持される薄板状の可動バー引き寄せ部材Ｇ４２と、ベース板Ｇ２に２箇所Ｇ２ｘ、Ｇ２ｙで支持され且つ一端側にランバーサポート調整用グリップＧ４３１を備え且つ他端側でカム部材Ｇ４１の他端部Ｇ４１ｂを枢支するネジ棒Ｇ４３などとを備えるようにしているが、ランバーサポート操作部Ｇ４の構成はこれに限られない。
【００５７】
以下、レッグレスト駆動装置Ｃについて具体的に説明する。
【００５８】
レッグレスト駆動装置Ｃは、図８、図９に示すように、レッグレスト駆動用アクチュエータＣ１と、前記レッグレスト駆動用アクチュエータＣ１の動作に連動して伸縮し且つ座２の両側に配した左右一対の連結作動機構Ｃ２と、左右一対の連結作動機構Ｃ２の動作を同期させる連結作動機構用同期機構Ｃ３とを具備するものである。
【００５９】
より具体的には、連結作動機構Ｃ２は、複数のリンクメンバとして、側面視略直線状を有する薄板状のレッグレスト伸縮用第１リンクメンバＣ２１、側面視略逆Ｌ字状を有する薄板状のレッグレスト伸縮用第２リンクメンバＣ２１、側面視略直線状を有する薄板状のレッグレスト伸縮用第３リンクメンバＣ２３、側面視略逆くの字状を有する薄板状のレッグレスト伸縮用第４リンクメンバＣ２４、および、側面視略直線状を有する薄板状のレッグレスト伸縮用第５リンクメンバＣ２５を具備している。そして、これら複数のリンクメンバＣ２１〜Ｃ２５の端部または中央部を回動可能に連結し、且つ、複数のリンクメンバのうち基端側に配され且つ対を成すリンクメンバの一方（レッグレスト伸縮用第２リンクメンバＣ２１）を、補助座受３２に枢着させ、他方（レッグレスト伸縮用第５リンクメンバＣ２５）を、レッグレスト駆動用アクチュエータＣ１に駆動されるように構成することにより、パンタグラフのように伸縮可能に構成されている。また、レッグレスト伸縮用第１リンクメンバＣ２１を、先端側レッグレスト部６１のリンクメンバ用支持部６１４に枢着されることにより、先端側レッグレスト部６１をレッグレスト駆動装置Ｃが駆動するようにしている。
【００６０】
レッグレスト駆動用アクチュエータＣ１は、その先端部を、本体座受前側連結パイプ３１ａに支持されている薄板状の支持板３１ａ１の下端部に枢着されるものであり、図示しないレッグレスト駆動用操作スイッチの操作と対応して、支持板３１ａ１の下端部を、前方または後方に移動させるように動作するものである。
【００６１】
連結作動機構用同期機構Ｃ３は、左右一対の連結作動機構Ｃ２の少なくとも一部同士を支持し且つ前記レッグレスト駆動用アクチュエータＣ１に駆動される連結軸たる本体座受前側連結パイプ３１ａを具備するものである。
【００６２】
以下、椅子Ｘの使用方法を具体的に説明する。
【００６３】
まず、図８に示すように、起立状態（Ｒ１）にあるレッグレスト６を水平状態（Ｒ２）にさせるようにレッグレスト駆動用操作スイッチ（図示せず）を操作すると、レッグレスト駆動用アクチュエータＣ１が、本体座受前側連結パイプ３１ａに支持されている支持板の下端部を前方に移動させる。すると、この動作に伴って、本体座受前側連結パイプ３１ａは、図８における反時計回りに回動を始め、レッグレスト伸縮用第５リンクメンバＣ２５の下端部を前方に押しやる。これにより、パンタグラフのように伸縮可能に構成されている連結作動機構Ｃ２は伸長しながら、先端側レッグレスト部６１を前方に移動させようとする。このとき、基端側レッグレスト部６２は、その上端部を補助座２２に回動可能に支持されているため、先端側レッグレスト部６１は、基端側レッグレスト部６２に対してスライドしながら基端側レッグレスト部６２を回動させる。しかして、先端側レッグレスト部６１は、基端側レッグレスト部６２から露出し、且つ、先端側レッグレスト部６１と基端側レッグレスト部６２とが側面視略一直線状の水平状態（Ｒ２）になる（図９参照）。
【００６４】
このように、起立状態（Ｒ１）にあるレッグレスト６を水平状態（Ｒ２）にさせるようにレッグレスト駆動用操作スイッチ（図示せず）を操作するだけで、起立状態（Ｒ１）にあるレッグレスト６を水平状態（Ｒ２）にすることができる。
【００６５】
なお、水平状態（Ｒ２）にあるレッグレスト６を起立状態（Ｒ１）にするには、レッグレスト駆動用操作スイッチ（図示せず）を水平状態（Ｒ２）にあるレッグレスト６を起立状態（Ｒ１）にさせるように操作するだけで、水平状態（Ｒ２）にあるレッグレスト６を起立状態（Ｒ１）にすることができる。このときの各部の動作は、起立状態（Ｒ１）にあるレッグレスト６を水平状態（Ｒ２）にさせる際の動作と反対であるので、説明を省略する。
【００６６】
このように、本実施形態に係る椅子Ｘによれば、レッグレスト６を伸縮させる動作と回動させる動作とを、複数のアクチュエータを用いることなく共通のアクチュエータたるレッグレスト駆動用アクチュエータＣ１で実現できるため、レッグレスト機能を実現するための無用なコストアップを抑制することができる。また、複数のアクチュエータを用いる場合に比べ、アクチュエータの配置を比較的自由に行うことができる。
【００６７】
すなわち、レッグレスト機能を実現するための無用なコストアップを抑制でき且つアクチュエータのレイアウト等の設計自由度が高いといった優れた椅子Ｘを提供することができる。
【００６８】
なお、レッグレスト６が、互いに連動動作する先端側レッグレスト部６１と基端側レッグレスト部６２とを具備し、これらレッグレスト部６１、６２のうち最先端のレッグレスト部６１のみを、前記レッグレスト駆動装置Ｃが駆動するように構成しているため、シンプルな構成でありながらも、有効にレッグレストを伸縮動作させることができる。
【００６９】
先端側レッグレスト部６１と基端側レッグレスト部６２とが互いに進退するものであり、前記先端側レッグレスト部６１の少なくとも一部が、前記基端側レッグレスト部６２に収容されるように構成しているため、起立状態（Ｒ１）では先端側レッグレスト部６１が基端側レッグレスト部６２に収容されるので、外観上の美観を確保しながらコンパクト化できる。
【００７０】
レッグレスト６を、座２の両側で枢着しているため、回動動作するレッグレスト６を安定して支持することができる。
【００７１】
水平状態（Ｒ２）にあるレッグレスト６の上向き面の略全面に、着座者の下肢を載置可能な下肢載置面６１ｘ、６２ｘを設けているため、足先だけに限らずふくらはぎから太ももを支持でき、着座者のリラックス感を向上できる。
【００７２】
レッグレスト駆動装置Ｃが、レッグレスト駆動用アクチュエータＣ１と、前記レッグレスト駆動用アクチュエータＣ１の動作に連動して伸縮する連結作動機構Ｃ２とを具備しているため、レッグレスト駆動用アクチュエータＣ１と連結作動機構Ｃ２との設計等をそれぞれ独立にできるので、設計自由度が向上する。
【００７３】
連結作動機構Ｃ２が、複数のリンクメンバＣ２１〜Ｃ２５を具備し、これら複数のリンクメンバＣ２１〜Ｃ２５の端部または中央部を回動可能に連結することにより、伸縮可能に構成したパンタグラフ式のものであるので、簡単な構成で、大きな伸縮ストロークを確保可能な連結作動機構Ｃ２を実現できる。
【００７４】
左右一対の連結作動機構Ｃ２の動作を同期させる連結作動機構用同期機構Ｃ３を具備しているため、座２の両側に配した左右一対の連結作動機構Ｃ２の動作を好適に同期できる。
【００７５】
なお、本発明は、以上に詳述した実施形態に限られるものではない。
【００７６】
例えば、先端側レッグレスト部６１を、レッグレスト駆動装置Ｃが駆動するように構成しているが、例えば、先端側レッグレスト部６１に替えて基端側レッグレスト部６２を駆動するように構成してもよいし、先端側レッグレスト部６１と基端側レッグレスト部６２とを駆動するように構成してもよい。
【００７７】
また、先端側レッグレスト部６１が基端側レッグレスト部６２に収容されることにより当該レッグレスト６を縮小するように構成しているが、各レッグレスト部６１、６２の下肢載置面６１ｘ、６２ｘ同士を向き合わせるように当該レッグレスト６を折り畳んで縮小するといった態様等も考えられる。
【００７８】
また、レッグレスト６を、３以上のレッグレスト部から成るように構成することを妨げない。
【００７９】
さらに、当該椅子Ｘを、例えば、レッグレスト６を水平状態（Ｒ２）から起立状態（Ｒ１）にする際に、レッグレスト６の下側にある図示しない物品や人等とぶつかって、当該物品や人等が破損するなどといった不具合を防止するように構成することもできる。
【００８０】
具体的には、レッグレスト６に対して、当該レッグレスト６を上側から下側へ押し下げる向きの外力を加えた場合には、その外力に抗してレッグレスト６の姿勢を保持する一方、下側から上側へ押し上げる向きの外力を加えた場合には、その外力に抗せずにその外力によりレッグレスト６全体が押し上げられることを許容するレッグレスト姿勢制動機構ＣＣを具備するようにすればよい。具体的には、図１０に示すように、支持板３１ａ１の回動中心（３１ａ）の下端側に、断面視上向き略コ字状の作動体ＣＣ１の上端部を枢支させ、さらにこの作動体ＣＣ１の下端部でレッグレスト駆動用アクチュエータＣ１の先端部を枢支するように構成し、且つ、当該レッグレスト６を上側から下側へ押し下げる向きの外力を加えた場合には、作動体ＣＣ１の当接壁ＣＣ１ｘ（当接部に相当する）と支持板３１ａ１（被当接部に相当する）とが当接する一方、下側から上側へ押し上げる向きの外力を加えた場合には、作動体ＣＣ１の当接壁ＣＣ１ｘと支持板３１ａ１とが当接解除するように構成することにより、レッグレスト姿勢制動機構ＣＣとしての機能を発揮するようにしたものが挙げられる。
【００８１】
その他、各部の具体的構成についても上記実施形態に限られるものではなく、本発明の趣旨を逸脱しない範囲で種々変形が可能である。
【図面の簡単な説明】
【００８２】
【図１】本発明の一実施形態に係る椅子を示す全体斜視図。
【図２】同実施形態に係る椅子を一部省略して模式的に示す左側面図。
【図３】同正面図。
【図４】同実施形態におけるヘッドレストの分解斜視図。
【図５】同実施形態における椅子の使用態様を模式的に示す図。
【図６】同実施形態における椅子の使用態様を模式的に示す図。
【図７】同実施形態におけるランバーサポート装置を示す図。
【図８】同実施形態におけるレッグレスト駆動装置の動作を説明するための図。
【図９】同実施形態におけるレッグレスト駆動装置の動作を説明するための図。
【図１０】同実施形態におけるレッグレスト姿勢制動機構を説明するための模式図と斜視図。
【符号の説明】
【００８３】
２・・・・・・・・・座
６・・・・・・・・・レッグレスト
３１ａ・・・・・・・連結軸（本体座受前側連結パイプ）
３１ａ１・・・・・・被当接部（支持板）
６１・・・・・・・・先端側レッグレスト部
６２・・・・・・・・基端側レッグレスト部
６１ｘ・・・・・・・下肢載置面
６２ｘ・・・・・・・下肢載置面
Ｃ・・・・・・・・・レッグレスト駆動装置
Ｃ１・・・・・・・・レッグレスト駆動用アクチュエータ
Ｃ２・・・・・・・・連結作動機構
Ｃ３・・・・・・・・連結作動機構用同期機構
Ｃ２１〜Ｃ２５・・・リンクメンバ
ＣＣ・・・・・・・・レッグレスト姿勢制動機構
ＣＣ１ｘ・・・・・・当接部（当接壁）
（Ｒ１）・・・・・・起立状態
（Ｒ２）・・・・・・水平状態
Ｘ・・・・・・・・・椅子
【図１】
2006204701.tif 000003
【図２】
2006204701.tif 000004
【図３】
2006204701.tif 000005
【図４】
2006204701.tif 000006
【図５】
2006204701.tif 000007
【図６】
2006204701.tif 000008
【図７】
2006204701.tif 000009
【図８】
2006204701.tif 000010
【図９】
2006204701.tif 000011
【図１０】
2006204701.tif 000012